(57)【要約】【課題】光量の安定化、装置規模の小型化及び発光効率の向上を図ることのできる照明装置、画像読取装置及び画像形成装置を提供する。【解決手段】コヒーレント光を発光するレーザモジュール１と、発光されたコヒーレント光を導光する光ファイバコード３と、光ファイバコード３によって導光されたコヒーレント光を可視光に変換する蛍光体発光部５と、可視光を線光源に変換して発光させる導光体８とから構成される光学ユニット１００を備えた照明装置である。この照明装置と画像読取り部とから画像読取装置及び画像形成装置が形成される。【選択図】図１
2008039860.tif 000002
【特許請求の範囲】
【請求項１】
コヒーレント光を発光する第１の発光手段と、該第１の発光手段によって発光された前記コヒーレント光を導光する導光手段と、該導光手段によって導光された前記コヒーレント光を可視光に変換する蛍光手段と、該蛍光手段によって変換された前記可視光を線光源に変換して発光させる第２の発光手段とを具備することを特徴とする照明装置。
【請求項２】
前記第２の発光手段は、長尺で透明な導光体と、該導光体の長手方向に設けられた拡散部とを具備していることを特徴とする請求項１に記載の照明装置。
【請求項３】
コヒーレント光を発光する第１の発光手段と、該第１の発光手段によって発光された前記コヒーレント光を導光する複数の導光手段と、それぞれの該導光手段によって導光された前記コヒーレント光を可視光に変換する複数の蛍光手段と、該複数の蛍光手段を線状に配設し、該複数の蛍光手段によって変換された可視光を線光源に変換して発光させる第２の発光手段とを具備することを特徴とする照明装置。
【請求項４】
前記導光手段は、プラスチック製光ファイバを含む光ファイバコードであることを特徴とする請求項１乃至３のいずれか１項に記載の照明装置。
【請求項５】
請求項１乃至４のいずれか１項に記載の照明装置と、該照明装置によって照射された原稿の画像を読取る読取り手段とを具備することを特徴とする画像読取装置。
【請求項６】
前記第１の発光手段が、前記画像読取装置の外周面または該外周面に形成された凹部に取り付けられていることを特徴とする請求項５に記載の画像読取装置。
【請求項７】
請求項５または６に記載の画像読取装置が搭載され、読取画像に基づいて記録紙を含む記録媒体上に画像形成を行うことを特徴とする画像形成装置。
【発明の詳細な説明】
【技術分野】
【０００１】
本発明は、原稿を照射する照明装置と、該照明装置を具備する画像読取装置及び画像形成装置に関する。
【背景技術】
【０００２】
従来の画像読取装置では、キセノン管を露光ランプとして用いたものが知られている（例えば、特許文献１参照）。このキセノン管は点灯に伴って発熱するため、冷却ファンにて冷却しながら点灯させている。
【０００３】
一方、画像の読取効率の向上や熱量低減を目的として、ＬＥＤ（発光ダイオード）を光源とした画像読取装置に関し、該ＬＥＤをアレイ状に並べて画像読取用の光源としたものも知られている（例えば、特許文献２参照）。
【特許文献１】特開平２−１４６８６２号公報
【特許文献２】特開昭６１−８９７６４号公報
【発明の開示】
【発明が解決しようとする課題】
【０００４】
特許文献１に開示の画像読取装置ではキセノン管を発光させるためのインバーターが大掛かりになって装置全体の規模が大きくなってしまう結果、製造コストが高騰するといった問題がある。また、発光効率の向上が難しいことに加えて、節電対策を講じる必要性がある。
【０００５】
また、上記ＬＥＤを光源に適用する場合には、ＬＥＤ自身が発する熱によって光量がダウンする結果、光量の安定化が困難であるという課題がある。
【０００６】
本発明の目的は、光量の安定化、装置規模の小型化及び発光効率の向上を図ることのできる照明装置、画像読取装置及び画像形成装置を提供することにある。
【課題を解決するための手段】
【０００７】
上記目的を達成するために、請求項１に記載の照明装置は、コヒーレント光を発光する第１の発光手段と、該第１の発光手段によって発光された前記コヒーレント光を導光する導光手段と、該導光手段によって導光された前記コヒーレント光を可視光に変換する蛍光手段と、該蛍光手段によって変換された前記可視光を線光源に変換して発光させる第２の発光手段とを具備することを特徴とする。
【０００８】
また、請求項３に記載の照明装置は、コヒーレント光を発光する第１の発光手段と、該第１の発光手段によって発光された前記コヒーレント光を導光する複数の導光手段と、それぞれの該導光手段によって導光された前記コヒーレント光を可視光に変換する複数の蛍光手段と、該複数の蛍光手段を線状に配設し、該複数の蛍光手段によって変換された可視光を線光源に変換して発光させる第２の発光手段とを具備することを特徴とする。
【０００９】
また、請求項５に記載の画像読取装置は、請求項１乃至４のいずれか１項に記載の照明装置と、該照明装置によって照射された原稿の画像を読取る読取り手段とを具備することを特徴とする。
【００１０】
また、請求項７に記載の画像形成装置は、請求項５または６に記載の画像読取装置が搭載され、読取画像に基づいて記録紙を含む記録媒体上に画像形成を行うことを特徴とする。
【発明の効果】
【００１１】
本発明によれば、光量の安定化と、装置全体の小型化及び発光効率の向上を図ることができる。
【発明を実施するための最良の形態】
【００１２】
以下、図面を用いて、本発明の実施の形態について説明する。
【００１３】
［第１の実施の形態］
図１は、本実施の形態に係る照明装置の構成図である。図１に示される照明装置としての光学ユニット１００は、発光部ユニット１０１と原稿照射ユニット１０２とから大略構成されている。
【００１４】
図２は、光学ユニットを構成する発光部ユニットの構成図である。図３は、原稿への照射を実施する原稿照射ユニットを構成する導光体の断面図である。
【００１５】
図２に示す発光部ユニット１０１は、コヒーレント光を発光するレーザモジュール１、レーザモジュール１を保持する金属製ホルダ２、及びレーザモジュール１より出力されるコヒーレント光（レーザ光）を原稿照射ユニット１０２へ導く光ファイバコード３を備えている。光ファイバコード３は、光源がホルダ４に載置された姿勢で高速の往復運動を行う使用状況に鑑み、ＰＯＦ（プラスチック製光ファイバ）をはじめとする柔軟性の高い光ファイバを用いることで耐久性を保持することができる。
【００１６】
原稿照射ユニット１０２は、図１に示すように、該ユニットを保持するためのホルダ４、蛍光体発光部５、放熱部材６、光リフレクタ７、線光源へと変換する導光体８、及び原稿の反射光が導かれる反射光路９を備えている。導光体８は、アクリル樹脂等の透明部材により構成されている。
【００１７】
図３に示すように、蛍光体発光部５から照射されたコヒーレント光（レーザ光）を所望の方向へ射出して原稿面を照射するために、導光体８の内部には拡散面１０が設けられており、この拡散面１０によって導光した方向と異なる方向に光を照射することができる。
【００１８】
この拡散面１０は、導光体８の長手方向に連続的に形成された細かなテーパ形状であり、テーパへの入射角θがα以上（導光体がアクリル樹脂で、屈折率ｎ＝１．５）で入射した光は全反射角条件を満足して所望の方向に光を出射する。さらに、テーパのピッチを例えば１ｍｍ以下の非常に細かい値に設定することにより、原稿の短い範囲内では均一な照度分布を得ることができる。
【００１９】
次に、ＣＣＤによる縮小光学系による画像の読取り動作を説明する。
【００２０】
図４は、画像読取装置の断面図である。図４において、画像読取り部４００は、原稿を載置する原稿台ガラス４０１と、該原稿台を押圧するとともに開閉自在な圧板４０２と、光学走査系で構成されている。この光学走査系は、発光部ユニット１０１、原稿照射ユニット１０２、第１ミラー４０３、第１キャリッジ４０４、第２ミラー４０５、第３ミラー４０６、第２キャリッジ４０７、レンズ４０８及びＣＣＤイメージセンサ４０９などから構成されている。原稿照射ユニット１０２及び第１ミラー４０３は第１キャリッジ４０４上に固定されており、第２ミラー４０５及び第３ミラー４０６は第２キャリッジ４０７上に固定されている。原稿台ガラス４０１上に置かれた原稿を読取る際は、光路長が変わらないように第１キャリッジ４０４と第２キャリッジ４０７が所定の相対速度で機械的に走査する。この光学走査系は不図示のスキャナ駆動モータにて駆動される。
【００２１】
画像の読取りは、まず発光部ユニット１０１に含まれるレーザモジュール１内のレーザ光源を駆動し、発光部ユニット１０１より導かれたレーザ光を原稿照射ユニット１０２によって線光源として原稿Ｇを照射する。反射光は図４に示すＫの光路を辿り、ＣＣＤイメージセンサ４０９によって読取られて電気信号（アナログ信号）に変換される。
【００２２】
次に、発光部ユニット１０１の配置について説明する。発光部ユニット１０１は公知のレーザ光源によって構成されており、放熱処理を要する。そのため、発光部ユニット１０１を画像読取り部４００の外周面に接している板金の内側に接するように装着することでほぼ室温を保つことができ、さらに安定した光量を得ることができる。光ファイバコード３は、図示するように屈曲する態様で実装されており、第１キャリッジ４０４が原稿Ｇを読取るために図４の右方向へ移動するのにあわせて柔軟に動くことができる。このため、発光部ユニット１０１から発せられるレーザ光は、原稿照射ユニット１０２に実装される蛍光体発光部５に安定して照射される。
【００２３】
図５は、画像読取り部４００の制御ブロック図である。画像読取り部４００は、中央演算処理装置である制御部（以下、ＣＰＵという）５０１、リードオンリーメモリ（以下、ＲＯＭという）５０２、及びランダムアクセスメモリ（以下、ＲＡＭという）５０３を備えている。ＲＯＭ５０２には制御用プログラムが格納されており、ＲＡＭ５０３には入力データや作業用データが格納されている。
【００２４】
更に、画像読取り部４００は、キャリッジ駆動用の不図示のモータを駆動制御するためのモータドライバ５０４と、キャリッジの位置を検出すると共に圧板開閉を検知するための不図示の各種センサからの検知信号が入力されるセンサ入力部５０５とを備えている。
【００２５】
また、原稿照射のためのレーザモジュール（レーザ発光部）１と、レーザモジュール１を駆動制御するレーザ制御部５０６と、原稿からの反射光を画像信号に変換するＣＣＤイメージセンサ４０９とを備えている。
【００２６】
また、画像読取り部４００は、ＣＣＤイメージセンサ４０９より出力される画像信号を増幅してＡ／Ｄ変換するアナログ信号処理部５０７と、デジタル信号に変換された画像信号にシェーディング補正を施す画像処理部５０８とを備えている。画像読取り部４００は、シェーディング補正された画像信号をコントローラ５２０に転送する外部ＩＦ５０９を備えている。この外部ＩＦ５０９では、コントローラ５２０と画像読取り部４００との間の制御が行われ、コマンドやデータのやり取りが行われる。
【００２７】
ＣＰＵ５０１は、コントローラ５２０からの指示に応じて、当該ＣＰＵ５０１にバス接続されたＲＯＭ５０２に格納された制御プログラムに従い、レーザ制御部５０６、モータドライバ５０４及び画像処理部５０８を制御する。
【００２８】
また、画像読取り部４００は、図５に示すようにコントローラ５２０と記録部５３０が接続されてもよい。この場合には、画像読取り部４００は、画像読取り部４００にて読み取られた画像データがコントローラ５２０にて画像処理され、記録部５３０に記録出力するコピー装置を構成することができる。
【００２９】
また、画像読取り部４００は、画像読取り部４００からコントローラ５２０及び公衆回線を経由し、相手通信装置ＦＡＸ５４０との間でデータや画像情報などの通信を行うＦＡＸ装置を構成することもできる。なお、この通信回線への接続は公知の方法を使用することができ、その詳細な説明は省略する。
【００３０】
また、画像読取り部４００は、画像読取り部４００からコントローラ５２０及びインターネットを経由し、指定先のコンピュータ５５０へ画像データを送信するＳＥＮＤ機能を構成することもできる。このネットワーク間での通信や画像データのファイルフォーマットは公知の方法を使用することができ、その詳細な説明は省略する。
【００３１】
次に、図６，７，８に基づいて画像読取り装置４００の制御フローを説明する。
【００３２】
図６は、画像読取り部４００の処理の全体を示すメインフローチャートである。
【００３３】
不図示の主電源スイッチがＯＮになる又はコントローラ５２０からの電源ＯＮ要求を受け付けると、画像読取り部４００に各種電源が供給され、後述するように図７に示す光量調整初期化処理が行われる（ステップＳ６０１）。
【００３４】
次いで、電源ＯＦＦ状態への遷移イベントとなる、主電源スイッチのＯＦＦ又はコントローラ５２０からの電源ＯＦＦの要求を受け付けたか否かを監視する（ステップＳ６０２）。
【００３５】
ステップＳ６０２において電源ＯＦＦ状態への遷移イベントが発生しなければ、後述する図８に示す画像読取り処理が行われる（ステップＳ６０３）。
【００３６】
一方、ステップＳ６０３で電源ＯＦＦ状態への遷移イベントが発生した場合には、供給電源の停止や電源ＯＦＦ時のための処理が行われ、電源がＯＦＦ状態となる。
【００３７】
図７は、電源ＯＮ時に行われる画像読取り部４００の光量調整初期化処理を示すフローチャートである。
【００３８】
原稿読取り時に所望の光量を発光するために、ＣＰＵ５０１によってレーザ制御部５０６を定電流駆動した際の原稿照射ユニット１０２の光量がＣＣＤイメージセンサ４０９で測定される。かかる測定にて目標発光量に対応する電流値が求められ、目標発光量に対応する電流値が確定されてＲＡＭ５０３に記憶保存される（ステップＳ７０１）。
【００３９】
次に、レーザ制御部５０６が、基準となる光量で定電流制御され、発光部ユニット１０１のレーザを駆動して原稿照射ユニット１０２を点灯させる。原稿照射ユニット１０２は不図示の標準白色板位置へ移動され、標準白色板の濃度がＣＣＤイメージセンサ４０９にて測定され、測定された濃度データ（シェーディングデータ）が記憶され（ステップＳ７０２）、光量調整初期化処理は終了する。記憶されたシェーディングデータは、画像読取り時に演算処理され、原稿走査時にＣＣＤイメージセンサ４０９にて読取られた画像の画素毎のばらつきが補正されて、画像濃度が均一化される。
【００４０】
次に、図８に基づいて、画像読取り部４００で実行される画像読取処理を説明する。
【００４１】
コントローラ５２０では、不図示の操作部によって原稿読取り指示のスタートボタンが押し下げられたか否かが繰り返し判定され、待機状態となっている（ステップＳ８０１）。
【００４２】
ステップＳ８０１にて原稿読取りのスタートボタンが押し下げられた際には、コントローラ５２０から画像読取り部４００へ原稿読取り開始を指示するコマンドが送られる。画像読取り部４００へ原稿読取り開始の指示コマンドが送られると、次に原稿照射ユニット１０２を点灯させるステップＳ８０２へ移行する。画像読取り部４００がコントローラ５２０から読取り開始の指示を受け付けると、まず、画像読取りのための原稿照射の光量が決定され、原稿照射に必要なレーザ発光量の目標となる電流値が決定される。次にＣＰＵ５０１が、決定された電流値に従ってレーザ制御部５０６を定電流制御し、導光体８を点灯させて照明を行う（ステップＳ８０２）。
【００４３】
次に、第１キャリッジ４０４を不図示の原稿セット基準から副走査方向に移動させてガラス面上に載置された原稿を読取る（ステップＳ８０３）。原稿の読取りに際し、ステップＳ８０２で光量調整された原稿照射ユニット１０２が原稿を照射する。ここで、原稿からの反射光はミラー４０３，４０５，４０６及びレンズ４０８を介してＣＣＤイメージセンサ４０９に入力される。ＣＣＤイメージセンサ４０９に入力された原稿の反射光は、ここで光電変換等の電気処理が施されてデジタル信号として処理される。次に、画像処理部５０８に送られた画像信号はステップＳ７０２で記憶されたシェーディングデータに基づいて補正され、外部ＩＦ５０９を経由してコントローラ５２０に送られる。
【００４４】
ステップＳ８０３の原稿読取りが終了すると、レーザ制御部５０６に対する定電流制御が終了してレーザ発光が停止され（ステップＳ８０４）、本制御フローを終了する。
【００４５】
［第２の実施の形態］
図９（Ａ）は、本発明の第２の実施の形態に係る画像読取装置の断面図である。図９（Ｂ）は、画像読取装置におけるＡＤＦの駆動系の説明図である。
【００４６】
図９（Ａ）において、原稿搬送装置であるＡＤＦ９００の原稿トレイ９２０上に表面を上に向けてセットされた原稿束Ｓは、ピックアップローラ９０１によってその最上位の原稿から分離部９０２へと繰り出される。分離部９０２では、上方に分離ローラが、下方に分離パッドがそれぞれ配設されており、原稿束Ｓの最上紙より一枚ずつの分離を行う。
【００４７】
片面原稿で表面の画像を読取る場合は、分離された原稿が第１レジストローラ９０３にて分離搬送中の斜行補正がなされた後に、第１レジストローラ９０３、第２レジストローラ９０４及び第１搬送ローラ９０５によって順次搬送される。原稿は読取位置Ｒを搬送されている間にその表面画像が読取られる。そして、原稿は、第２搬送ローラ９０６及び排紙ローラ９０８によって排紙トレイ９２１上に原稿表面を下に向けて順番に排出される。
【００４８】
上記ＡＤＦ９００には、本発明の光学ユニット１００が組み込まれた画像読取り部ＲＵ−１が備えられており、画像読取り部４００には周知のＣＣＤイメージセンサを具備する縮小光学系からなる画像読取り部ＲＵ−２が備えられている。
【００４９】
画像読取り部ＲＵ−１、ＲＵ−２では、原稿に記録された画像情報が光学的に読取られ、読取り画像データが光電変換された後に入力される。
【００５０】
画像読取り部ＲＵ−１は、原稿照射ユニット１０２、ＣＩＳ（密着型イメージセンサ）９２２等を備えている。
【００５１】
画像読取り部ＲＵ−２は、ＡＤＦ用プラテン９３１、原稿台ガラス４０１、ランプ９３０と第１ミラー４０３を有する第１キャリッジ４０４、第２ミラー４０５、第３ミラー４０６、レンズ４０８及びＣＣＤイメージセンサ４０９等を備えている。
【００５２】
画像読取り部ＲＵ−１では、ＡＤＦ９００から搬送されてくる原稿に対して発光部ユニット１０１のレーザが駆動される。ここで、原稿照射ユニット１０２で原稿を照らした際の反射光は、ＣＩＳ（密着型イメージセンサ）９２２にて光電変換等の電気処理を施され、画像信号として出力される。画像読み取部ＲＵ−２では、ＡＤＦ９００から搬送されてくる原稿に対してスキャナユニット４０４をＡＤＦ用プラテン９３１下に移動／停止させ、原稿が読取位置Ｒ上を搬送されている間に画像の読取りが行われる。
【００５３】
画像の読取りに際しては、ランプ９３０が点灯して原稿を照射する。原稿からの反射光はミラー４０３，４０５，４０６及びレンズ４０８を介して、ＣＣＤイメージセンサ４０９に入力される。ＣＣＤイメージセンサ４０９に入力された原稿の反射光には、ここで光電変換等の電気処理及び通常のデジタル処理が施される。
【００５４】
なお、画像読取り部４００とＡＤＦ９００が一体化された読取り装置であってもよいことは勿論のことである。
【００５５】
次に、図１０〜図１４に基づいてＡＤＦ９００の動作態様を説明する。
【００５６】
図１０は、ＡＤＦの制御動作のメインフローチャートである。
【００５７】
ＡＤＦ９００は、原稿トレイ９２０上に原稿がセットされたか否か、さらには、不図示の画像形成装置本体の操作部にあるスタートキーが押し下げられたか否かを繰り返し判定しながら待機状態となっている（ステップＳ１００１）。なお、原稿がセットされたか否かの判定は、原稿検知センサ９１４の検出結果に基づいてなされる。
【００５８】
判定の結果、原稿が原稿トレイ９２０にセットされており、かつ、スタートキーが押し下げられた場合には原稿読取りが開始される。
【００５９】
原稿を照らす光源の点灯動作（ステップＳ１００２）、原稿トレイ９２０からの分離動作（ステップＳ１００３）、給紙動作（ステップＳ１００４）が順次行われ、読取り開始前に原稿サイズが判別される。次いで、読取動作（ステップＳ１００５）、排紙動作（ステップＳ１００６）が順次行われ、排紙トレイ９２１に原稿が排出される。
【００６０】
なお、原稿サイズの判別は、図９（Ａ）に示す原稿トレイ９２０上における不図示の規制ガイド板の幅情報と、給紙動作完了時点での分離センサ９１０の状態によって判別される。全ての原稿の排出が完了した後に光源が消灯する（ステップＳ１００７）。
【００６１】
以下、ステップＳ１００２の光源点灯動作について説明する。
【００６２】
画像読取り部ＲＵ−１の光源は、発光部ユニット１０１のレーザダイオードを目標光量とするための電流値にて定電流駆動する。この処理は上記図８のステップＳ８０３と同様である。画像読取り部ＲＵ−２の光源は、周知のキセノン管ランプ等によって点灯制御されて点灯する。
【００６３】
次に、図１１のＡＤＦの分離制御フローチャートに基づいて、図１０のステップＳ１００３の分離動作を説明する。
【００６４】
図９（Ａ）に示す原稿検知センサ９１４によって原稿トレイ９２０上の原稿が検知されると、図９（Ｂ）に示す分離モータＭ１が正転駆動すると同時に給紙クラッチＣＬがＯＮされ、ピックアップローラ９０１を上下動させる不図示のピックアップアームが駆動する。ピックアップアームの駆動により、原稿トレイ９２０上の原稿束Ｓの最上紙にピックアップローラ９０１が接するまで降下する。このピックアップローラ９０１の降下と同時に、該ピックアップローラ９０１と分離部９０２の分離ローラが給紙方向に駆動され（ステップＳ１１０１）、最上紙のみが分離部９０２から搬送パスへと分離される。
【００６５】
そして、分離後センサ９１０まで分離された原稿の先端が達したことが検知されると（ステップＳ１１０２）、トレイ上の原稿束Ｓから原稿が分離されたことが認識される。その後、レジストセンサ９１１まで原稿の先端が達したことが検知され（ステップＳ１１０３）、原稿が所定量搬送されて（ステップＳ１１０４、ステップＳ１１０５）、分離モータＭ１は停止する（ステップＳ１１０６）。この時、第１レジストローラ９０３は停止しており、分離された原稿の先端が第１レジストローラ９０３にループ状態で突き当てられて斜行が補正される。
【００６６】
レジストセンサ９１１にて原稿先端を検知してからモータが停止するまでの搬送距離は、原稿が異幅混載な状態か否かによって異なる。異幅混載でない場合は原稿が（レジストセンサ９１１から第１レジストローラ９０３までの距離）＋ｌ１ｍｍ搬送され、異幅混載の場合は原稿が（レジストセンサ９１１から第１レジストローラ９０３までの距離）＋ｌ２ｍｍ搬送される。ここで、ｌ１＜ｌ２である。
【００６７】
その後、給紙クラッチＣＬをＯＦＦして分離モータＭ１を逆転駆動することで、ピックアップローラ９０１と分離ローラの駆動が切られ、第１レジストローラ９０３が駆動し、斜行補正された原稿がさらに下流側へと搬送される。原稿が第１レジストローラ９０３から所定量搬送されると、分離モータＭ１は停止する（ステップＳ１１０６）。この時、原稿先端部は第２レジストローラ９０４より上流側で停止している。
【００６８】
次に、図１２のＡＤＦの給紙制御フローチャートに基づいて、図１０のステップＳ１００４の給紙動作を説明する。
【００６９】
給紙動作には、分離パスからの給紙動作と反転パスからの給紙動作がある。分離パスからの給紙動作の場合、分離モータＭ１を逆転駆動して第１レジストローラ９０３を駆動するとともに図９（Ｂ）に示す給紙モータＭ２が起動される（ステップＳ１２０１）。給紙モータＭ２の起動により、第２レジストローラ９０４、第１搬送ローラ９０５及び第２搬送ローラ９０６が駆動する。
【００７０】
その後、予め決められた原稿搬送量に相当するカウンタ（α２）値がセットされる（ステップＳ１２０２）。カウンタ（α２）値までカウントアップして、原稿が所定量搬送されたら（ステップＳ１２０３でＹＥＳ）、分離モータＭ１の逆転駆動は停止する（ステップＳ１２０４）。
【００７１】
第２レジストローラ９０４の上流側に位置する原稿は、給紙モータＭ２によって駆動される第２レジストローラ９０４へと搬送される。リードセンサ９１２まで原稿先端が搬送されたことが検知されると（ステップＳ１２０５）、予め決められた原稿搬送量に相当するカウンタ（α３）値がセットされる（ステップＳ１２０６）。カウンタ（α３）値までカウントアップして、原稿が所定量搬送されたら（ステップＳ１２０７でＹＥＳ）、給紙モータＭ２の駆動は停止する（ステップＳ１２０８）。給紙モータＭ２が停止すると、原稿先端は読取り位置Ｒよりも上流側で停止される。ここで、分離パスからの給紙動作の場合には分離モータＭ１も停止する。
【００７２】
次に、図１３のＡＤＦの読取り制御フローチャートに基づいて、図１０のステップＳ１００５の読取動作を説明する。
【００７３】
給紙モータＭ２の駆動によって第２レジストローラ９０４、第１搬送ローラ９０５、第２搬送ローラ９０６が駆動し（ステップＳ１３０１）、読取位置Ｒの上流側に位置する原稿が所定量搬送される（ステップＳ１３０２、ステップＳ１３０３）。原稿先端が読取位置に達したと判断されると、画像読取り部ＲＵ−１，ＲＵ−２による原稿画像の読込みが開始される（ステップＳ１３０４）。その後、排紙センサ９１３にて原稿後端が達したことが検知されると（ステップＳ１３０５）、排紙モータＭ３が正転駆動する（ステップＳ１３０６）。
【００７４】
次いで、原稿が所定量搬送され、原稿トレイ９２０上において次に読取りがおこなわれるべき原稿があると原稿検知センサ９１４にて検知された場合には、次の原稿の分離開始が許可される。ここで、実際に分離が開始されるタイミングは、原稿サイズと原稿搬送速度（読取り速度）によって可変調整される。
【００７５】
次いで、原稿画像の読取りが行われ、リードセンサ９１２に原稿後端が達したことが検知されると（ステップＳ１３０７でＹＥＳ）、原稿が所定量搬送される（ステップＳ１３０８、ステップＳ１３０９）。原稿後端が読取位置に達したと判断されると、原稿読取は終了する（ステップＳ１３１０）。読取開始と同様に、画像読取り部ＲＵ−１、ＲＵ−２に対する読取終了を通知することで、画像読取り部４００が画像データの読取りを終了する。そして、給紙モータＭ２、排紙モータＭ３が停止する（ステップＳ１３１１）。
【００７６】
次に、図１４のＡＤＦの排紙制御フローチャートに基づいて、図１０のステップＳ１００６の排紙動作を説明する。
【００７７】
原稿画像の読取りが終了した段階で、原稿はその後端が読取位置Ｒより下流側に位置した状態で停止している。給紙モータＭ２が駆動して排紙モータＭ３が正転駆動すると、第２搬送ローラ９０６と排紙ローラ９０８が駆動し、原稿は搬送パスの下流側へ搬送される（ステップＳ１４０１）。そして、排紙センサ９１３にて原稿後端が達したことが検知されると（ステップＳ１４０２）、読取られた原稿が給紙モータＭ２の駆動系から外れたと認識されて給紙モータＭ２は停止する（ステップＳ１４０３）。ただし、次の原稿の給紙動作または読取動作が同時におこなわれている場合には、給紙モータＭ２は停止しない。その後、原稿が所定量搬送され（ステップＳ１４０４、ステップＳ１４０５）、原稿後端が排紙ローラ９０８を抜けて排紙トレイ９２１上に排出されたと判断されると、排紙モータＭ３が停止し（ステップＳ１４０６）、排紙ローラ９０８の駆動も停止する。
【００７８】
次に、図１０のステップＳ１００７の光源消灯動作を説明する。
【００７９】
画像読取り部ＲＵ−１の光源は、発光部ユニット１０１のレーザダイオードの定電流駆動が停止することで消灯する。この処理は図８のステップＳ８０４と同様である。
画像読取り部ＲＵ−２の光源９３０の点灯制御が停止して光源は消灯する。
【００８０】
［第３の実施の形態］
図１５は、本発明の第３の実施の形態に係る照明装置の構成図である。
【００８１】
照明装置としての光学ユニット１５００は、発光部ユニット１５２０と原稿照射ユニット１５３０とから大略構成されている。
【００８２】
発光部ユニット１５２０は、レーザモジュール１５０１、金属製ホルダ１５０２及び光ファイバコード１５０３を備えている。レーザモジュール１５０１は複数の発光部１５０４の光源となり、金属製ホルダ１５０２はレーザモジュール１５０１を保持する。光ファイバコード１５０３はレーザモジュール１５０１より出力されるレーザ光を発光部１５０４へ導く。
【００８３】
原稿照射ユニット１５３０は、コヒーレント光（レーザ光）が直接導かれて可視光に変換する複数の発光部１５０４、導光体１５０６、及び原稿の反射光１５０５を導く反射光路１５０７を備えている。
【００８４】
次に、本実施の形態における光学ユニット１５００を画像読取装置に組み込んだ際の制御フローを説明する。
【００８５】
図７に示す、電源ＯＮ時に行われる画像読取り部４００の光量調整初期化処理を示すフローチャートと同様の処理で制御が行われる。
【００８６】
即ち、原稿読取り時に所望の光量を発光するため、光学ユニット１５００の目標発光量に対応する電流値が確定される。この処理は、レーザモジュール１５０１を定電流制御して複数の発光部１５０４の点灯を行うこと以外は、図７のステップＳ７０１と同様である。
【００８７】
次に、標準白色板の濃度をＣＣＤにて測定し、測定した濃度データ（シェーディングデータ）が記憶される。この処理もレーザモジュール１５０１を定電流制御して複数の発光部１５０４の点灯を行うこと以外は、図７のステップＳ７０２と同様である。
【００８８】
図８の画像読取り部４００の画像読取処理について、ステップＳ８０１，Ｓ８０２の処理は上述した第１の実施の形態と同様に行われる。
【００８９】
ステップＳ８０３では、ステップＳ８０２のレーザ光量調整制御で確定した電流値でレーザモジュール１５０１を定電流制御して、複数の発光部１５０４を点灯して、原稿が読み取られる。
【００９０】
ステップＳ８０４では、レーザモジュール１５０１を定電流制御を停止して、複数の発光部１５０４を消灯する。
【００９１】
［第４の実施の形態］
図１６（Ａ）は、図４で示した発光部ユニット１０１の配置の他の形態を示した図である。この形態では、図４に示す形態よりもさらに冷却性を高くするため、発光部ユニット１０１を直接外気に曝すように装置の外周面に設置する。
【００９２】
一方、図１６（Ｂ）は発光部ユニット１０１の配置の他の形態を示した図である。発光部ユニット１０１を画像読取り部４００の外周面の一部に形成された凹部に取り付けることにより、発光部ユニット１０１が装置の外周面から突出することを防止できる。なお、この凹部の底面には、光ファイバコード３が画像読取部４００内に入ることができる最小限の大きさの穴が開設されている。かかる構成とすることにより、発光部ユニット１０１は常に外気に曝されることとなり、放熱の度合いは図１６（Ａ）の場合と同程度となる。
【００９３】
画像読取り部４００が図５に示す記録部５３０と接続されて複写機として動作する場合には、図１６（Ｃ）に示す構成を採るのが一般的である。記録部５３０に既に取り付けられているファン１８０１の風があたる部分に発光部ユニット１０１を装着しておくことで、ファン１８０１によって記録部５３０内に流入あるいは排出する空気を発光部ユニット１０１に常に提供できる。かかる構成は、発光部ユニット１０１の発熱をファン１８０１にて積極的に冷やす必要がある場合に有効である。
【００９４】
さらに、図１６（Ｄ）に示す例は、記録部５３０に排出あるいは吸入ファン１８０２が実装されており、発光部ユニット１０１が通気口付近に実装されている形態である。かかる構成によれば、発光部ユニット１０１を機内に流入あるいは排出する空気に触れさせることができ、ファン１８０２や発光部ユニット１０１の配置の自由度を高めることもできる。
【００９５】
以上詳細に説明したように、本発明の上記各実施の形態によれば、照明装置が、コンパクトで高効率なコヒーレント光（レーザ光）を発光するレーザモジュール１（発光部）と蛍光体発光部５（蛍光部）が光ファイバコード３（光ファイバ）で結ばれた構成である。このため、発光効率が向上し、装置規模の縮小された照明装置、画像読取装置を提供することができる。
【００９６】
また、蛍光体にレーザを当てるという発光部の構成により、発光部における色むらを低減することができる。さらに、発生する光を導光体８で拡散させながら照射することで、色むらが原理的にほとんどない画像読取装置を提供することができる。また、レーザモジュール１を蛍光体発光部５と切り離して冷却条件の良好な箇所に取付けることができるため、レーザモジュール１における熱処理が促進され、光量安定化を図ることができる。これらの効果により、従来の装置と発光効率を同等な条件とした場合に、光源の演色性が要求されるカラー画像読取装置を提供することができる。
【００９７】
また、レーザ発光部の熱処理が容易となった結果、輝度、すなわち、単位大きさあたりの光量を大きくすることができ、導光体に多くの光量を入力することができる。その結果、導光体から発せられる光量が向上することで、画像読取装置の読取り速度の向上を図ることができる。
【００９８】
さらに、光ファイバ内を通過する光はコヒーレントかつ単一光波長であるので、それに合ったファイバ材料の処方をおこない易く、伝導効率、すなわち、光源としての発光効率を向上させることができる。また、蛍光作用を起こす光が短波長であることからスペクトル変動の可能性は原理的になく、色味変動が少ないという効果が得られる。これらの効果により、読取効率がよく、色味が適宜に制御された画像読取装置を得ることができる。
【００９９】
また、ライン上に複数の発光部１５０４が並べられるので、十分な光量を得られ、より読み取りスピードの速い画像読取装置を提供できるという効果がある。
【０１００】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０１０１】
この場合、記憶媒体から読み出されたプログラムコード自体が前述した各実施の形態の機能を実現することになり、そのプログラムコード及び該プログラムコードを記憶した記憶媒体は本発明を構成することになる。
【０１０２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１０３】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１０４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【０１０５】
以上、本発明の実施の形態を図面を用いて詳述してきたが、具体的な構成はこの実施の形態に限定されるものではなく、本発明の要旨を逸脱しない範囲における設計変更等があっても、それらは本発明に含まれるものである。本発明の照明装置は、データ処理装置に画像データを入力するための画像読取装置において、原稿を照明するための原稿照明装置として利用することもできる。例えば、プリンタ及びプリンタを動作させるためのコントローラを用いることで構成されるＭＦＰ（マルチファンクションプリンタ）、パーソナルコンピュータ及びそれに接続されるコントローラを用いることによって構成されるドキュメントスキャナ、公衆回線と接続し、画像データを転送するモデム機能を備えたコントローラと接続することによって構成されるＦＡＸに適用して利用できる。
【図面の簡単な説明】
【０１０６】
【図１】本実施の形態に係る照明装置の構成図である。
【図２】光学ユニットを構成する発光部ユニットの構成図である。
【図３】原稿への照射を実施する原稿照射ユニットを構成する導光体の断面図である。
【図４】画像読取装置の断面図である。
【図５】画像読取り部の制御ブロック図である。
【図６】画像読取り部の処理の全体を示すメインフローチャートである。
【図７】電源ＯＮ時に行われる画像読取り部の光量調整初期化処理を示すフローチャートである。
【図８】画像読取り部で実行される画像読取処理を示すフローチャートである。
【図９】（Ａ）は、本発明の第２の実施の形態に係る画像読取装置の断面図である。（Ｂ）は、画像読取装置におけるＡＤＦの駆動系の説明図である。
【図１０】ＡＤＦの制御動作のメインフローチャートである。
【図１１】ＡＤＦの分離制御フローチャートである。
【図１２】ＡＤＦの給紙制御フローチャートである。
【図１３】ＡＤＦの読取り制御フローチャートである。
【図１４】ＡＤＦの排紙制御フローチャートである。
【図１５】本発明の第３の実施の形態に係る照明装置の構成図である。
【図１６】（Ａ）は、第４の実施の形態にかかる発光部ユニットの配置図である。（Ｂ）、（Ｃ）、（Ｄ）はそれぞれ発光部ユニットの他の配置図である。
【符号の説明】
【０１０７】
１  レーザモジュール（第１の発光手段）
２  金属製ホルダ
３  光ファイバコード（導光手段）
４  ホルダ
５  蛍光体発光部（蛍光手段）
６  放熱部材
７  光リフレクタ
８  導光体（第２の発光手段）
９  反射光路
１０  拡散面
１００  光学ユニット
１０１  発光部ユニット
１０２  原稿照射ユニット
４００    画像読取り部
１５００  光学ユニット
１５０１  レーザモジュール（第１の発光手段）
１５０２  金属製ホルダ
１５０３  光ファイバコード（導光手段）
１５０４  発光部（蛍光手段）
１５０５  反射光
１５０６  導光体（第２の発光手段）
１５０７  反射光路
１５２０  発光部ユニット
１５３０  原稿照射ユニット
【図１】
2008039860.tif 000003
【図２】
2008039860.tif 000004
【図３】
2008039860.tif 000005
【図４】
2008039860.tif 000006
【図５】
2008039860.tif 000007
【図６】
2008039860.tif 000008
【図７】
2008039860.tif 000009
【図８】
2008039860.tif 000010
【図９】
2008039860.tif 000011
【図１０】
2008039860.tif 000012
【図１１】
2008039860.tif 000013
【図１２】
2008039860.tif 000014
【図１３】
2008039860.tif 000015
【図１４】
2008039860.tif 000016
【図１５】
2008039860.tif 000017
【図１６】
2008039860.tif 000018